(57)【要約】      （修正有）【課題】かご状本体内に餌を取付け可能な餌付杆を移動自在に設け、かご状本体内に小動物が踏み上がり可能な踏み板を回動自在に設け、作動機構を餌付杆の移動による閉込扉体の閉口作動、又は、踏み板の回動による閉込扉体の閉口作動のいずれかの閉口動作に選択可能な構造としたことにより、捕獲使用するに際し、餌付杆の移動により閉込扉体を閉口作動させる餌付杆式、又は踏み板の回動によって閉込扉体を閉口作動させる踏み板式のいずれかに選択することができ、それだけ、小動物の捕獲効率を向上することができる捕獲器を提供する。【解決手段】かご状本体１内に餌Ｍを取付け可能な餌付杆７を移動自在に設け、かご状本体内に小動物が踏み上がり可能な踏み板８を回動自在に設け、作動機構９を餌付杆の移動による閉込扉体３の閉口作動、又は、踏み板の回動による閉込扉体の閉口作動のいずれかの閉口動作に選択可能な構造とした。【選択図】図２
0003164897.tif 000002
【実用新案登録請求の範囲】
【請求項１】
かご状本体の前面に小動物が進入可能な進入口部が形成され、該進入口部を開閉可能な閉込扉体が設けられ、待機状態において該閉込扉体を開口状態に保持すると共に小動物の進入状態において該保持動作を解除して該閉込扉体を閉口作動させる作動機構を設けてなり、上記かご状本体内に餌を取付け可能な餌付杆を移動自在に設け、該かご状本体内に小動物が踏み上がり可能な踏み板を回動自在に設け、上記作動機構を該餌付杆の移動による閉込扉体の閉口作動、又は、該踏み板の回動による閉込扉体の閉口作動のいずれかの閉口動作に選択可能な構造としたことを特徴とする小動物捕獲器。
【請求項２】
上記作動機構として、上記かご状本体に支持軸を設け、該支持軸に二個の連動アームをそれぞれ回動自在に設け、該各連動アームに上記閉込扉体に設けた係止部に係止して閉込扉体を開口状態に保持する保持部を形成し、一方の連動アームと該餌付杆との間に、該一方の連動アームと該係止部との係止保持状態において上記餌付杆が移動したとき一方の連動アームを回動して該閉込扉体の該係止部と該保持部との保持動作を解除可能な一方の解除杆を架設し、他方の連動アームと該踏み板との間に、該他方の連動アームと該係止部との係止保持状態において上記踏み板が回動したとき他方の連動アームを回動して該閉込扉体の係止部と該保持部との保持動作を解除可能な他方の解除杆を架設してなることを特徴とする請求項１記載の小動物捕獲器。
【請求項３】
上記閉込扉体の上辺縁部を上記かご状本体の上面部に枢着して該閉込扉体を開閉回動自在に設け、該閉込扉体の下辺縁部に折畳体の下辺縁部を枢着して該折畳体を該閉込扉体に対して折畳展開回動自在に設け、該閉込扉体と該折畳体との間に該折畳体を該閉込扉体に対して展開動作させる展開用バネを設けると共に該折畳体の展開限度を規制可能な規制部材を設けてなることを特徴とする請求項１又は２記載の小動物捕獲器。
【考案の詳細な説明】
【技術分野】
【０００１】
本考案は、例えば、マングース、アライグマ、ネズミ、イタチなどの小動物を捕獲する際に用いられる小動物捕獲器に関するものである。
【背景技術】
【０００２】
従来、この種の小動物捕獲器として、かご状本体の前面に小動物が進入可能な進入口部を形成し、進入口部を開閉可能な閉込扉体を設け、かご状本体内に餌を取付け可能な餌付杆を設けて餌付杆の移動によって閉込扉体を閉口作動させる構造のものが知られ、又、該かご状本体内に小動物が踏み上がり可能な踏み板を回動自在に設けて踏み板の回動によって閉込扉体を閉口作動させる構造のものも知られている。
【先行技術文献】
【特許文献】
【０００３】
【特許文献１】実用新案登録第３１５３２１８号
【特許文献２】実用新案登録第３１３３０７９号
【考案の概要】
【考案が解決しようとする課題】
【０００４】
しかしながらこの従来構造の場合、餌付杆の移動によって閉込扉体を閉口作動させる餌付杆式の構造、又は、踏み板の回動によって閉込扉体を閉口作動させる踏み板式の構造のいずれか専用の構造となっており、捕獲効率を向上する上で、小動物の種類等によっては、餌付杆式が望ましかったり、又は、踏み板式が望ましかったりすることがあり、このため、餌付杆式と踏み板式の相異なる二種類の捕獲器を用意しなければならないという不都合を有している。
【課題を解決するための手段】
【０００５】
本考案はこれらの不都合を解決することを目的とするもので、本考案のうちで、請求項１記載の考案は、かご状本体の前面に小動物が進入可能な進入口部が形成され、該進入口部を開閉可能な閉込扉体が設けられ、待機状態において該閉込扉体を開口状態に保持すると共に小動物の進入状態において該保持動作を解除して該閉込扉体を閉口作動させる作動機構を設けてなり、上記かご状本体内に餌を取付け可能な餌付杆を移動自在に設け、該かご状本体内に小動物が踏み上がり可能な踏み板を回動自在に設け、上記作動機構を該餌付杆の移動による閉込扉体の閉口作動、又は、該踏み板の回動による閉込扉体の閉口作動のいずれかの閉口動作に選択可能な構造としたことを特徴とする小動物捕獲器にある。
【０００６】
又、請求項２記載の考案は、上記作動機構として、上記かご状本体に支持軸を設け、該支持軸に二個の連動アームをそれぞれ回動自在に設け、該各連動アームに上記閉込扉体に設けた係止部に係止して閉込扉体を開口状態に保持する保持部を形成し、一方の連動アームと該餌付杆との間に、該一方の連動アームと該係止部との係止保持状態において上記餌付杆が移動したとき一方の連動アームを回動して該閉込扉体の該係止部と該保持部との保持動作を解除可能な一方の解除杆を架設し、他方の連動アームと該踏み板との間に、該他方の連動アームと該係止部との係止保持状態において上記踏み板が回動したとき他方の連動アームを回動して該閉込扉体の係止部と該保持部との保持動作を解除可能な他方の解除杆を架設してなることを特徴とするものであり、又、請求項３記載の考案は、上記閉込扉体の上辺縁部を上記かご状本体の上面部に枢着して該閉込扉体を開閉回動自在に設け、該閉込扉体の下辺縁部に折畳体の下辺縁部を枢着して該折畳体を該閉込扉体に対して折畳展開回動自在に設け、該閉込扉体と該折畳体との間に該折畳体を該閉込扉体に対して展開動作させる展開用バネを設けると共に該折畳体の展開限度を規制可能な規制部材を設けてなることを特徴とするものである。
【考案の効果】
【０００７】
本考案は上述の如く、請求項１記載の考案にあっては、かご状本体内に餌を取付け可能な餌付杆を移動自在に設け、かご状本体内に小動物が踏み上がり可能な踏み板を回動自在に設け、作動機構を餌付杆の移動による閉込扉体の閉口作動、又は、踏み板の回動による閉込扉体の閉口作動のいずれかの閉口動作に選択可能な構造としたことにより、捕獲使用するに際し、上記餌付杆の移動により閉込扉体を閉口作動させる餌付杆式、又は踏み板の回動によって閉込扉体を閉口作動させる踏み板式のいずれかに選択することができ、小動物の種類等により、餌付杆式、又は、踏み板式に選択して使用することができ、それだけ、小動物の捕獲効率を向上することができる。
【０００８】
又、請求項２記載の考案にあっては、上記作動機構として、上記かご状本体に支持軸を設け、支持軸に二個の連動アームをそれぞれ回動自在に設け、各連動アームに上記閉込扉体に設けた係止部に係止して閉込扉体を開口状態に保持する保持部を形成し、一方の連動アームと餌付杆との間に、一方の連動アームと係止部との係止保持状態において上記餌付杆が移動したとき一方の連動アームを回動して閉込扉体の係止部と保持部との保持動作を解除可能な一方の解除杆を架設し、他方の連動アームと踏み板との間に、他方の連動アームと係止部との係止保持状態において上記踏み板が回動したとき他方の連動アームを回動して閉込扉体の係止部と保持部との保持動作を解除可能な他方の解除杆を架設してなるから、餌付杆の移動により閉込扉体を閉口作動させる餌付杆式を選択する場合、二個の連動アームのうち、一方の連動アームに設けた保持部を閉込扉体に設けた係止部に係止し、一方の連動アームは解除杆を介して餌付杆を移動し、係止部と保持部とは係止保持して閉込扉体は上方に跳ね上げられた状態に保持され、進入口部が開口した待機状態に設定することができ、しかして、進入口部から進入した小動物が餌付杆の餌に食い付き、逃げようとして餌付杆を進入口部側に移動させると、解除杆を介して連動アームは支持軸を支点として回動し、この回動により係止部と保持部との係止状態が解除され、閉込扉体は進入口部を閉塞し、かご状本体内に小動物を捕獲することができ、又、上記踏み板の回動によって閉込扉体を閉口作動させる踏み板式を選択する場合、踏み板を上向き回動し、この回動により二個の連動アームのうち、他方の連動アームは解除杆を介して回動し、他方の連動アームに設けた保持部を閉込扉体に設けた係止部に係止し、閉込扉体は上方に跳ね上げられた状態に保持され、進入口部が開口した待機状態に設定することができ、しかして、進入口部から進入した小動物が踏み板に乗り上がって、踏み板が回動すると、解除杆を介して連動アームは支持軸を支点として回動し、この回動により係止部と保持部との係止状態が解除され、閉込扉体は進入口部を閉塞し、かご状本体内に小動物を捕獲することができ、したがって、餌付杆式、又は、踏み板式を選択した際の待機状態の設定を容易に行うことができると共に構造を簡素化することができ、又、請求項３記載の考案にあっては、上記閉込扉体の上辺縁部を上記かご状本体の上面部に枢着して閉込扉体を開閉回動自在に設け、閉込扉体の下辺縁部に折畳体の下辺縁部を枢着して折畳体を閉込扉体に対して折畳展開回動自在に設け、閉込扉体と折畳体との間に折畳体を閉込扉体に対して展開動作させる展開用バネを設けると共に折畳体の展開限度を規制可能な規制部材を設けてなるから、閉込扉体の開閉を確実に行うことができると共に簡素な構造とすることができ、製作コストを低減することができる。
【図面の簡単な説明】
【０００９】
【図１】本考案の実施の形態例の全体側面図である。
【図２】本考案の実施の形態例の全体説明断面図である。
【図３】本考案の実施の形態例の全体説明斜視図である。
【図４】本考案の実施の形態例の全体説明拡大斜視図である。
【図５】本考案の実施の形態例の拡大側断面図である。
【図６】本考案の実施の形態例の拡大側断面図である。
【図７】本考案の実施の形態例の拡大側断面図である。
【図８】本考案の実施の形態例の拡大側断面図である。
【考案を実施するための形態】
【００１０】
図１乃至図８は本考案の実施の形態例を示し、１はかご状本体であって、この場合、図１の如く、線材Ｗにより四角かご状に形成され、前面に小動物が進入可能な進入口部２が形成されている。
【００１１】
３は閉込扉体であって、図４の如く、上記進入口部２を開閉可能に形成され、この場合、閉込扉体３は線材Ｗにより四角網状に形成され、閉込扉体３の上辺縁部をかご状本体１の上面部に枢着部１ａにより枢着して閉込扉体３を開閉回動自在に上辺縁部が奥側に位置する傾斜状に設け、閉込扉体３の下辺縁部に線材Ｗにより四角網状に形成された折畳体４の下辺縁部を枢着部４ａにより枢着して折畳体４を閉込扉体３に対してＶ状に折畳展開回動自在に設け、折畳体４の上辺縁部４ｂはかご状本体１の上内面に当接可能に設けられ、折畳体４に取っ手９ｈを設け、閉込扉体３と折畳体４との間に折畳体４を閉込扉体３に対して展開動作させるつるまきばね状の展開用バネ５を設けると共に折畳体４の展開限度を規制可能な規制部材６が設けられ、規制部材６は略Ｕ状にして基部開放両端部が閉込扉体３に枢着部６ａで枢着され、その中央Ｕ状部分６ｂが折畳体４に係合して構成されている。
【００１２】
７は餌付杆であって、図２の如く、餌を取付け可能にＵ状に形成され、上記かご状本体１内に移動自在に設けられ、又、８は踏み板であって、小動物が踏み上がり可能に形成され、かご状本体１内に枢着部１ｂにより回動自在に設けられている。
【００１３】
９は作動機構であって、図３、図４の如く、待機状態において閉込扉体３を開口状態に保持すると共に小動物の進入状態においてこの保持動作を解除して閉込扉体３を閉口作動させるように構成されており、この場合、上記かご状本体１に支持軸９ａを設け、支持軸９ａに二個の連動アーム９ｂ・９ｃをそれぞれ回動自在に設け、各連動アーム９ｂ・９ｃに上記閉込扉体３に設けた係止部３ａに係止して閉込扉体３を開口状態に保持する保持部９ｄ・９ｅを形成し、一方の連動アーム９ｂと餌付杆７との間に、一方の連動アーム９ｂと係止部３ａとの係止保持状態において上記餌付杆７が移動したとき一方の連動アーム９ｂを回動して閉込扉体３に設けた係止部３ａと保持部９ｄとの保持動作を解除可能な一方の解除杆９ｆを架設し、他方の連動アーム９ｃと踏み板８との間に、他方の連動アーム９ｃと係止部３ａとの係止保持状態において上記踏み板８が回動したとき他方の連動アーム９ｃを回動して閉込扉体３の係止部３ａと保持部９ｅとの保持動作を解除可能な他方の解除杆９ｇを架設して構成している。
【００１４】
しかして、上記餌付杆７の移動により閉込扉体３を閉口作動させる餌付杆式を選択する場合、図５の如く、閉込扉体３及び折畳体４を枢着部４ａを支点として展開用バネ５のバネ圧に抗して相互にＶ状に折り畳んだ状態で枢着部１ａを支点として上方に跳ね上げ、折畳体４の上辺縁部４ｂはかご状本体１の上内面に当接し、二個の連動アーム９ｂ・９ｃのうち、一方の連動アーム９ｂに設けた保持部９ｄを閉込扉体３に設けた係止部３ａに係止し、このとき、連動アーム９ｂは解除杆９ｆを介して餌付杆７を図中左方向の奥側に移動し、係止部３ａと保持部９ｄとは、折畳体４の上辺縁部４ｂがかご状本体１の上内面に当接しているので展開用バネ５のバネ圧により係止保持して閉込扉体３は上方に跳ね上げられた状態に保持され、進入口部２が開口した待機状態に設定することになり、進入口部２から進入した小動物が餌付杆７の餌Ｍに食い付き、逃げようとして餌付杆７を進入口部２側に移動させると、図６の如く、解除杆９ｆを介して連動アーム９ｂは支持軸９ａを支点として図中反時計回りに回動し、この回動により係止部３ａと保持部９ｄとの係止状態が解除され、閉込扉体３及び折畳体４は展開用バネ５のバネ圧により展開して閉込扉体３は進入口部２を閉塞し、かご状本体１内に小動物を捕獲することになる。
【００１５】
又、上記踏み板８の回動によって閉込扉体３を閉口作動させる踏み板式を選択する場合、図７の如く、閉込扉体３及び折畳体４を枢着部４ａを支点として展開用バネ５のバネ圧に抗して相互にＶ状に折り畳んだ状態で枢着部１ａを支点として上方に跳ね上げ、折畳体４の上辺縁部４ｂはかご状本体１の上内面に当接し、踏み板８を枢着部１ｂを支点として上向き回動し、この回動により二個の連動アーム９ｂ・９ｃのうち、他方の連動アーム９ｃは解除杆９ｇを介して支持軸９ａを支点として図中反対時計回りに回動し、連動アーム９ｃに設けた保持部９ｅを閉込扉体３に設けた係止部３ａに係止し、係止部３ａと保持部９ｅとは、折畳体４の上辺縁部４ｂがかご状本体１の上内面に当接しているので展開用バネ５のバネ圧により係止保持して閉込扉体３は上方に跳ね上げられた状態に保持され、進入口部２が開口した待機状態に設定することになり、しかして、進入口部２から進入した小動物が踏み板８に乗り上がって、踏み板８が枢着部１ｂを支点として図２の想像線位置から実線位置へと回動すると、図８の如く、解除杆９ｇを介して連動アーム９ｃは支持軸９ａを支点として図中時計廻りに回動し、この回動により係止部３ａと保持部９ｅとの係止状態が解除され、閉込扉体３及び折畳体４は展開用バネ５のバネ圧により展開して閉込扉体３は進入口部２を閉塞し、かご状本体１内に小動物を捕獲することになる。
【００１６】
この実施の形態例は上記構成であるから、かご状本体１内に餌Ｍを取付け可能な餌付杆７を移動自在に設け、かご状本体１内に小動物が踏み上がり可能な踏み板８を回動自在に設け、作動機構９を餌付杆７の移動による閉込扉体３の閉口作動、又は、踏み板８の回動による閉込扉体３の閉口作動のいずれかの閉口動作に選択可能な構造としたことにより、捕獲使用するに際し、上記餌付杆７の移動により閉込扉体３を閉口作動させる餌付杆式、又は踏み板８の回動によって閉込扉体３を閉口作動させる踏み板式のいずれかに選択することができ、小動物の種類等により、餌付杆式、又は、踏み板式に選択して使用することができ、それだけ、小動物の捕獲効率を向上することができる。
【００１７】
又、この場合、上記作動機構９として、上記かご状本体１に支持軸９ａを設け、支持軸９ａに二個の連動アーム９ｂ・９ｃをそれぞれ回動自在に設け、各連動アーム９ｂ・９ｃに上記閉込扉体３に設けた係止部３ａに係止して閉込扉体３を開口状態に保持する保持部９ｄ・９ｅを形成し、一方の連動アーム９ｂと餌付杆７との間に、一方の連動アーム９ｂと係止部３ａとの係止保持状態において上記餌付杆７が移動したとき一方の連動アーム９ｂを回動して閉込扉体３の係止部３ａと保持部９ｄとの保持動作を解除可能な一方の解除杆９ｆを架設し、他方の連動アーム９ｃと踏み板８との間に、他方の連動アーム９ｃと係止部３ａとの係止保持状態において上記踏み板８が回動したとき他方の連動アーム９ｃを回動して閉込扉体３の係止部３ａと保持部９ｅとの保持動作を解除可能な他方の解除杆９ｇを架設してなるから、餌付杆７の移動により閉込扉体３を閉口作動させる餌付杆式を選択する場合、図５の如く、閉込扉体３及び折畳体４を枢着部４ａを支点として展開用バネ５のバネ圧に抗して相互にＶ状に折り畳んだ状態で枢着部１ａを支点として上方に跳ね上げ、折畳体４の上辺縁部４ｂはかご状本体１の上内面に当接し、二個の連動アーム９ｂ・９ｃのうち、一方の連動アーム９ｂに設けた保持部９ｄを閉込扉体３に設けた係止部３ａに係止し、このとき、連動アーム９ｂは解除杆９ｆを介して餌付杆７を図中左方向の奥側に移動し、係止部３ａと保持部９ｄとは、折畳体４の上辺縁部４ｂがかご状本体１の上内面に当接しているので展開用バネ５のバネ圧により係止保持して閉込扉体３は上方に跳ね上げられた状態に保持され、進入口部２が開口した待機状態に設定することができ、しかして、進入口部２から進入した小動物が餌付杆７の餌Ｍに食い付き、逃げようとして餌付杆７を進入口部２側に移動させると、図６の如く、解除杆９ｆを介して連動アーム９ｂは支持軸９ａを支点として図中反時計回りに回動し、この回動により係止部３ａと保持部９ｄとの係止状態が解除され、閉込扉体３及び折畳体４は展開用バネ５のバネ圧により展開して閉込扉体３は進入口部２を閉塞し、かご状本体１内に小動物を捕獲することができ、又、上記踏み板８の回動によって閉込扉体３を閉口作動させる踏み板式を選択する場合、図７の如く、閉込扉体３及び折畳体４を枢着部４ａを支点として展開用バネ５のバネ圧に抗して相互にＶ状に折り畳んだ状態で枢着部１ａを支点として上方に跳ね上げ、折畳体４の上辺縁部４ｂはかご状本体１の上内面に当接し、踏み板８を枢着部１ｂを支点として上向き回動し、この回動により二個の連動アーム９ｂ・９ｃのうち、他方の連動アーム９ｃは解除杆９ｇを介して支持軸９ａを支点として図中反対時計回りに回動し、連動アーム９ｃに設けた保持部９ｅを閉込扉体３に設けた係止部３ａに係止し、係止部３ａと保持部９ｅとは、折畳体４の上辺縁部４ｂがかご状本体１の上内面に当接しているので展開用バネ５のバネ圧により係止保持して閉込扉体３は上方に跳ね上げられた状態に保持され、進入口部２が開口した待機状態に設定することができ、しかして、進入口部２から進入した小動物が踏み板８に乗り上がって、踏み板８が枢着部１ｂを支点として図２の想像線位置から実線位置へと回動すると、図８の如く、解除杆９ｇを介して連動アーム９ｃは支持軸９ａを支点として図中時計廻りに回動し、この回動により係止部３ａと保持部９ｅとの係止状態が解除され、閉込扉体３及び折畳体４は展開用バネ５のバネ圧により展開して閉込扉体３は進入口部２を閉塞し、かご状本体１内に小動物を捕獲することができ、餌付杆式、又は、踏み板式を選択した際の待機状態の設定を容易に行うことができると共に構造を簡素化することができ、又、この場合、上記閉込扉体３の上辺縁部を上記かご状本体１の上面部に枢着して閉込扉体３を開閉回動自在に設け、閉込扉体３の下辺縁部に折畳体４の下辺縁部を枢着して折畳体４を閉込扉体３に対して折畳展開回動自在に設け、閉込扉体３と折畳体４との間に折畳体４を閉込扉体３に対して展開動作させる展開用バネ５を設けると共に折畳体４の展開限度を規制可能な規制部材６を設けてなるから、閉込扉体３の開閉を確実に行うことができると共に簡素な構造とすることができ、製作コストを低減することができる。
【００１８】
以上の如く、所期の目的を充分達成することができる。
【符号の説明】
【００１９】
Ｍ    餌
１    かご状本体
２    進入口部
３    閉込扉体
３ａ    係止部
４    折畳体
５    展開用バネ
６    規制部材
７    餌付杆
８    踏み板
９    作動機構
９ａ    支持軸
９ｂ    連動アーム
９ｃ    連動アーム
９ｄ    保持部
９ｅ    保持部
９ｆ    解除杆
９ｇ    解除杆
【図１】
0003164897.tif 000003
【図２】
0003164897.tif 000004
【図３】
0003164897.tif 000005
【図４】
0003164897.tif 000006
【図５】
0003164897.tif 000007
【図６】
0003164897.tif 000008
【図７】
0003164897.tif 000009
【図８】
0003164897.tif 000010